(57)【要約】【課題】広告コンテンツの出力先を設定する処理の利便性を向上することができるコンテンツ管理装置およびプログラムを提供することである。【解決手段】実施形態のコンテンツ管理装置は、コンテンツ生成手段と、出力設定受付手段と、出力装置表示手段と、出力手段とを備える。コンテンツ生成手段は、商品マスタから読み込んだ商品情報を広告コンテンツ用のテンプレートに適用して、コンテンツデータを生成する。出力設定受付手段は、前記コンテンツデータの出力に関する設定を受付ける。出力装置表示手段は、前記設定に見合う出力装置を、当該出力装置の位置に応じて店舗マップ上に選択可能に表示する。出力手段は、前記店舗マップから前記出力装置の選択を受付けると、選択された出力装置に前記コンテンツデータを出力する。【選択図】図９
2019159461.tif 000002
【特許請求の範囲】
【請求項１】
商品マスタから読み込んだ商品情報を広告コンテンツ用のテンプレートに適用して、コンテンツデータを生成するコンテンツ生成手段と、
前記コンテンツデータの出力に関する設定を受付ける出力設定受付手段と、
前記設定に見合う出力装置を、当該出力装置の位置に応じて店舗マップ上に選択可能に表示する出力装置表示手段と、
前記店舗マップから前記出力装置の選択を受付けると、選択された出力装置に前記コンテンツデータを出力する出力手段と、
を備えたコンテンツ管理装置。
【請求項２】
前記コンテンツデータを前記出力装置に出力するタイミングの入力を受付ける出力タイミング入力手段と、
前記コンテンツデータと、当該コンテンツデータを出力する前記出力装置と、当該コンテンツデータを出力するタイミングとを対応付けて、出力ジョブとして管理する出力ジョブ管理手段と、を更に備え、
前記出力手段は、出力ジョブのタイミングに応じて、各出力ジョブのコンテンツデータを、当該コンテンツデータの出力先として対応付けられている前記出力装置に出力させる、請求項１に記載のコンテンツ管理装置。
【請求項３】
前記出力装置の機能情報または設定情報を読み込む装置情報読込手段と、
前記コンテンツデータを、前記機能情報が示す機能または前記設定情報が示す設定に応じて加工するコンテンツ加工手段と、を更に備え、
前記出力手段は、加工後のコンテンツデータを前記出力装置に出力する、請求項１または２に記載のコンテンツ管理装置。
【請求項４】
前記出力装置表示手段は、前記出力装置の位置に応じて、店舗の拡張現実の画像上に、前記設定に見合う出力装置を選択可能に表示する、請求項１ないし３のいずれか１つに記載のコンテンツ管理装置。
【請求項５】
コンテンツ管理装置を制御するコンピュータを、
商品マスタから読み込んだ商品情報を広告コンテンツ用にテンプレートに適用して、コンテンツデータを生成するコンテンツ生成手段と、
前記コンテンツデータの出力に関する設定を受付ける出力設定受付手段と、
前記設定に見合う出力装置を、当該出力装置の位置に応じて店舗マップ上に選択可能に表示する出力装置表示手段と、
前記店舗マップから前記出力装置の選択を受付けると、選択された出力装置に前記コンテンツデータを出力する出力手段と、して機能させるプログラム。
【請求項６】
情報処理装置を制御するコンピュータを、
商品マスタから広告コンテンツの対象とする商品を選択する商品選択手段と、
広告コンテンツ用のテンプレートを選択するテンプレート選択手段と、
前記広告コンテンツの出力に関する設定を受付ける出力設定受付手段と、
前記商品選択手段が選択した商品の商品情報を前記商品マスタから読み込んで、前記テンプレート選択手段が選択した前記テンプレート上に合成して、広告コンテンツをプレビュー表示するプレビュー表示手段と、
前記設定に見合う出力装置を、当該出力装置の位置に応じて店舗マップ上に選択可能に表示する出力装置表示手段と、
前記店舗マップから前記出力装置の選択を受付けると、選択された出力装置に前記広告コンテンツを出力する指示を出力する指示出力手段と、して機能させるプログラム。
【発明の詳細な説明】
【技術分野】
【０００１】
本発明の実施形態は、コンテンツ管理装置およびプログラムに関する。
【背景技術】
【０００２】
従来、スーパーマーケットやデパートなどの店舗、ショッピングモールなどの商業施設、商店街、地下街など、商品を販売する場所において、デジタルサイネージ（Digital  Signage：電子広告）が広く利用されている。デジタルサイネージデバイスは、サーバ装置からリアルタイムに配信される動画や静止画などのコンテンツを自動再生することで、リアルタイムのセール情報を客に報知することができる。
【０００３】
従来技術としては、デジタルサイネージのコンテンツを簡便に作成できるよう、予めデジタルサイネージのテンプレートや素材データを用意しておき、商品マスタデータを参照してＰＯＰ広告（Point  Of  Purchase  advertising）を作成する技術がある。このように作成されたコンテンツは、デジタルサイネージのみならず、プリンタに送信してＰＯＰ広告を印字出力することもできる。
【０００４】
ところで、店舗のバックヤードではなく、例えば売り場にて手軽にコンテンツを作成し、作成したコンテンツをデジタルサイネージやプリンタ、カート用端末や顧客端末等に出力させたいというニーズがある。即ち、従来、広告コンテンツの作成ならびに出力先の設定に関して、利便性の向上が望まれていた。
【発明の概要】
【発明が解決しようとする課題】
【０００５】
本発明が解決しようとする課題は、広告コンテンツの出力先を設定する処理の利便性を向上することができるコンテンツ管理装置およびプログラムを提供することである。
【課題を解決するための手段】
【０００６】
実施形態のコンテンツ管理装置は、コンテンツ生成手段と、出力設定受付手段と、出力装置表示手段と、出力手段とを備える。コンテンツ生成手段は、商品マスタから読み込んだ商品情報を広告コンテンツ用のテンプレートに適用して、コンテンツデータを生成する。出力設定受付手段は、前記コンテンツデータの出力に関する設定を受付ける。出力装置表示手段は、前記設定に見合う出力装置を、当該出力装置の位置に応じて店舗マップ上に選択可能に表示する。出力手段は、前記店舗マップから前記出力装置の選択を受付けると、選択された出力装置に前記コンテンツデータを出力する。
【図面の簡単な説明】
【０００７】
【図１】図１は、本実施形態のコンテンツ管理システムの全体構成を示す図である。
【図２】図２は、コンテンツ管理サーバのハードウェア構成および機能構成を示したブロック図である。
【図３】図３は、出力設定管理ＤＢのデータ構成例を示す図である。
【図４】図４は、出力ジョブ管理ＤＢのデータ構成例を示す図である。
【図５】図５は、入力端末のハードウェア構成および機能構成を示したブロック図である。
【図６】図６は、入力端末がＰＯＰ作成アプリの起動後に表示する選択画面の構成例を示す図である。
【図７】図７は、出力設定画面の構成例を示す図である。
【図８】図８は、機器選択画面の構成例を示す図である。
【図９】図９は、機器選択画面のその他の構成例を示す図である。
【図１０】図１０は、ＡＲ表示を利用した機器選択画面の構成例を示す図である。
【図１１】図１１は、プレビュー画面の構成例を示す図である。
【図１２】図１２は、デジタルサイネージのハードウェア構成および機能構成を示したブロック図である。
【図１３】図１３は、プリンタのハードウェア構成および機能構成を示したブロック図である。
【図１４】図１４は、出力装置として用いられるモバイル端末のハードウェア構成および機能構成を示したブロック図である。
【図１５】図１５は、スピーカのハードウェア構成および機能構成を示したブロック図である。
【図１６】図１６は、入力端末が実行するコンテンツ作成処理の手順例を示したフローチャートである。
【図１７】図１７は、コンテンツ管理サーバが実行するコンテンツ生成処理の手順例を示したフローチャートである。
【図１８】図１８は、コンテンツ管理サーバが実行するコンテンツ管理処理の手順例を示したフローチャートである。
【発明を実施するための形態】
【０００８】
図１は、本実施形態のコンテンツ管理システム１００の全体構成を示す図である。以下では、スーパーマーケットにおいて本実施形態のコンテンツ管理システム１００を設けた例を示すが、実施例は当該例により限定されない。その他の店舗、複合ショッピングセンター等のその他の施設に本実施形態のコンテンツ管理システム１００を適用してもよい。また、以下では、複数の図面に示される同様の構成について同一符号を付して示し、重複する説明を省略する場合がある。
【０００９】
図１に示すように、コンテンツ管理システム１００は、本実施形態にかかるコンテンツ管理装置であるコンテンツ管理サーバ１と、ＰＯＳサーバ２と、ＰＯＰサーバ３と、入力端末４として機能するモバイル端末４ａ、タブレット端末４ｂとを備えている。また、コンテンツ管理システム１００は、出力装置として、デジタルサイネージ６（６ａ、６ｂ）、プリンタ７（７ａ、７ｂ）、スピーカ９を備えている。また、客のモバイル端末８も出力装置として利用できる。尚、出力装置として、ショッピングカートに取り付けられた表示装置であるカート端末、モバイル端末ではない顧客端末（例えばＰＣ（Personal  Computer））を適用してもよい。コンテンツ管理サーバ１、ＰＯＳサーバ２、ＰＯＰサーバ３、プリンタ７は店舗のバックヤードに設けられ、店舗内に設けられたＬＡＮ（Local  Area  Network）等の通信回線７０で互いに接続されている。
【００１０】
ＰＯＳサーバ２は、店舗で扱う商品の商品名、価格、キャンペーン情報、商品の画像データ、商品のイラスト、広告に利用可能なコメント等の商品情報を、商品コード（商品識別情報）に対応付けて格納している商品マスタＤＢ（Database）２１を有している。
【００１１】
ＰＯＰサーバ３は、ＰＯＰ広告に用いるテンプレートを格納しているテンプレートＤＢ３１を有している。テンプレートには商品情報のうちＰＯＰ広告に出力する項目や、その配置デザイン等が設定されている。
【００１２】
コンテンツ管理サーバ１は、商品マスタＤＢ２１から読み込んだ商品情報と、テンプレートＤＢ３１から読み込んだテンプレートとを用いて、ＰＯＰ広告のコンテンツデータを生成する処理を統括的に制御する。コンテンツ管理サーバ１は、出力設定管理ＤＢ１７２と、出力ジョブ管理ＤＢ１７３とを有している。
【００１３】
出力設定管理ＤＢ１７２は、コンテンツ管理システム１００が備える各出力装置の出力機能、出力設定を格納している。コンテンツ管理サーバ１は、出力設定管理ＤＢ１７２に基づいて、入力端末４から入力されたＰＯＰ広告に適した出力装置を抽出し、出力装置に応じたコンテンツデータを生成する。
【００１４】
出力ジョブ管理ＤＢ１７３は、入力端末４からのジョブ入力に基づき、各コンテンツデータの出力ジョブを管理するデータ管理ファイルである。コンテンツ管理サーバ１は、出力ジョブ管理ＤＢ１７３を用いて、ＰＯＰ広告の出力ジョブの管理を行う。即ち、コンテンツ管理サーバ１は、出力ジョブ管理ＤＢ１７３に基づいて各ジョブを出力装置に出力し、ジョブ出力の完了を出力ジョブ管理ＤＢ１７３に記録する。
【００１５】
入力端末４として機能するモバイル端末４ａ、タブレット端末４ｂは、ＰＯＰ広告を作成するユーザが操作する端末である。入力端末４は、無線ＬＡＮ等の無線通信によりコンテンツ管理サーバ１との間でのデータ通信を行う。尚、入力端末４は、インターネット等の公衆回線８０を介してコンテンツ管理サーバ１との間でデータ通信を行ってもよい。また、入力端末４は携帯型の小型電子機器である必要はなく、ＰＣ、ノートＰＣ、棚卸端末等を入力端末として適用してもよい。また、入力端末は、店舗が所有する端末に限定されず、店員が個人所有する端末に本実施形態の入力端末４が実行するプログラム（アプリケーション）をインストールすることにより、本実施形態の入力端末４として利用してもよい。ユーザは、入力端末４を用いることによって、従来のようにバックヤードで広告を準備する必要はなく、売り場で商品を見ながらＰＯＰ広告を作成することができる。
【００１６】
次に、各装置の構成および機能について説明する。
【００１７】
図２は、コンテンツ管理サーバ１のハードウェア構成および機能構成を示したブロック図である。コンテンツ管理サーバ１は、ＣＰＵ（Central  Processing  Unit）と、記憶媒体であるＲＯＭ（Read  Only  Memory）およびＲＡＭ（Random  Access  Memory）（いずれも不図示）等で構成されるコンピュータ構成の制御部１１を備えている。制御部１１には、バス１２を介して、通信Ｉ／Ｆ（Interface）１３、通信Ｉ／Ｆ１４、操作部１５、表示部１６、ＨＤＤ（Hard  Disk  Drive）１７が接続されている。制御部１１は、通信Ｉ／Ｆ１３及び通信回線７０を介して、ＰＯＳサーバ２、ＰＯＰサーバ３、入力端末４、デジタルサイネージ６、プリンタ７、スピーカ９との間でデータ通信を行う。また、制御部１１は、通信Ｉ／Ｆ１４および公衆回線８０を介してモバイル端末８との間でデータ通信を行う。
【００１８】
ＨＤＤ１７は、制御部１１が実行するコンテンツ管理プログラム１７１と、上述した出力設定管理ＤＢ１７２と出力ジョブ管理ＤＢ１７３とを備える。
【００１９】
図３は、出力設定管理ＤＢ１７２のデータ構成例を示す図である。図３に示すように、出力設定管理ＤＢ１７２は、コンテンツ管理システム１００が備える各出力装置について、機器情報、設定情報、印刷設定、表示設定等の出力機能、出力設定に係る情報を管理、格納している。機器情報としては、出力装置名や型番を格納している。設定情報としては、出力装置のＩＰアドレスや、店舗内での位置を示す位置情報、店舗での売り場に対応する、商品の部門を示した情報などを格納している。出力装置がプリンタ７であれば、印刷設定として、カラー印刷の機能を示す情報、使用可能なメディア、あるいは、用紙トレイに入っているメディアを示した情報、出力可能な原稿サイズ（用紙サイズ）を示した情報等を格納している。また、出力装置がデジタルサイネージ６であれば、表示設定として、解像度を示した情報等を格納している。
【００２０】
出力ジョブ管理ＤＢ１７３のデータ構成例（図４参照）については、出力ジョブ管理部１１５の機能の説明とともに後述する。
【００２１】
尚、コンテンツ管理プログラム１７１は、ＨＤＤ１７に予め組み込まれて提供される。コンテンツ管理プログラム１７１は、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。さらに、コンテンツ管理プログラム１７１を、インターネット等のネットワークに接続されたコンピュータ上に格納し、ネットワーク経由でダウンロードさせることにより提供するように構成しても良い。また、コンテンツ管理プログラム１７１をインターネット等のネットワーク経由で提供または配布するように構成しても良い。
【００２２】
制御部１１のＣＰＵ（プロセッサ）は、ＨＤＤ１７からコンテンツ管理プログラム１７１を読み出して、当該プログラムが含むモジュールを主記憶装置上にロードする。これにより制御部１１は、図２に示すように、通信制御部１１１、コンテンツデータ管理部１１２、コンテンツデータ加工部１１３、出力設定管理部１１４、出力ジョブ管理部１１５を主記憶装置上に展開する。
【００２３】
通信制御部１１１は、通信Ｉ／Ｆ１３及び通信回線７０を介して、ＰＯＳサーバ２、ＰＯＰサーバ３、入力端末４、デジタルサイネージ６、プリンタ７、スピーカ９との間のデータ通信を制御する。また、通信制御部１１１は、通信Ｉ／Ｆ１４および公衆回線８０を介して、モバイル端末８との間のデータ通信を制御する。
【００２４】
コンテンツデータ管理部１１２は、商品マスタＤＢ２１から読み込んだ商品情報を、テンプレートＤＢ３１から読み込んだ広告コンテンツ用のテンプレートに適用して、コンテンツデータを生成する（コンテンツ生成手段）。
【００２５】
コンテンツデータ加工部１１３（コンテンツ加工手段）は、出力先として登録されている出力装置の機能情報または設定情報を、出力設定管理ＤＢ１７２から読み込む（装置情報読込手段）。また、コンテンツデータ加工部１１３は、コンテンツデータを、出力先の機能情報が示す機能または設定情報が示す設定に応じて加工する。
【００２６】
例えば、コンテンツデータ加工部１１３は、出力先の出力方法に応じたデータ形式にコンテンツデータを変換することで、出力先に見合うデータ形式にコンテンツデータを加工する。即ち、出力先がデジタルサイネージ６で、静止画のコンテンツを出力するのであれば、例えばＪＰＥＧ形式またはＢＭＰ形式のファイル形式の画像ファイルにコンテンツデータを変換する。また、動画のコンテンツを出力するのであれば、例えばＭＰＥＧ−４形式の動画ファイルにコンテンツデータを変換する。また、出力先がプリンタ７であれば、コンテンツデータ加工部１１３はコンテンツデータを、例えばＰＤＦ形式の印刷出力用ファイルに変換する。
【００２７】
このようにコンテンツデータ加工部１１３は、コンテンツデータを出力先に応じたデータ形式に自動的に変換し、加工する。このように、本実施形態によれば、コンテンツデータは各出力先に応じたデータ形式に自動的に変換されるので、ユーザは大元のＰＯＰ広告のレイアウト（デザイン）を１つ作成すれば、店舗内の多種多様な出力装置に当該ＰＯＰ広告を出力することができる。従って、本実施形態によれば、広告コンテンツの作成作業の利便性向上を図ることができる。
【００２８】
出力設定管理部１１４は、入力端末４から、コンテンツデータの出力に関する設定（出力設定）を受付ける（出力設定受付手段）。
【００２９】
また、出力設定管理部１１４（出力装置表示手段）は、入力端末４から受付けた出力設定に見合う出力装置を、出力設定管理ＤＢ１７２から抽出する。例えば、入力端末４からフルカラーで耐水紙に印刷する旨の指示を受付けた場合には、出力設定管理部１１４は、出力設定管理ＤＢ１７２（図３参照）の印刷設定に基づいて、フルカラーで印刷可能であり、メディアとして耐水紙を選択可能であるプリンタ７を抽出する。また、入力端末４からデジタルサイネージ６に出力する際の解像度の指示を受付けた場合には、出力設定管理部１１４は、出力設定管理ＤＢ１７２（図３参照）の表示設定に基づいて、指示された解像度を満たすデジタルサイネージ６を抽出する。
【００３０】
出力設定管理部１１４は、抽出した出力装置を、出力設定管理ＤＢ１７２に設定されている各出力装置の位置情報に基づいて、店舗マップ上に表示するための表示データを生成する。尚、店舗マップ上において、出力装置を示すマークは選択可能に表示される。出力設定管理部１１４は、生成した表示データを入力端末４に送信する。
【００３１】
尚、表示方法としては、店舗マップに連携した拡張現実（ＡＲ：Augmented  Reality）を利用して、出力装置を店舗の拡張現実の画像（ＡＲ画像）上に表示させてもよい。即ち、出力設定管理部１１４は、出力設定管理ＤＢ１７２に登録されている出力装置の位置情報に基づいて、店舗のＡＲ画像上に、設定に見合う出力装置を選択可能に表示する表示データを生成し、入力端末４に送信してもよい。
【００３２】
尚、ＡＲ表示技術を利用して、出力装置の位置のみならず、ＰＯＰ広告そのものをＡＲ画像に組み込んでＡＲ表示させてもよい。即ち、出力設定管理部１１４は、店舗のＡＲ画像上に、設定に合わせて仮想的に出力したコンテンツデータの仮想画像を表示するための表示データを生成し、入力端末４に送信してもよい。
【００３３】
出力ジョブ管理部１１５（出力手段）は、入力端末４に表示された店舗マップを介して出力装置の選択を受付けると、当該入力端末４から選択された出力装置を示す情報を受信し、出力ジョブ管理ＤＢ１７３に登録する。
【００３４】
また、出力ジョブ管理部１１５（出力タイミング入力手段）は、入力端末４に表示されたＵＩ画面を介して、コンテンツデータを出力装置に出力するタイミングの入力を受付ける。出力タイミングの例としては、即時出力とする例、出力日時を指定する例、出力時間を指定して複数日に亘って繰り返し出力する例、などがある。
【００３５】
出力ジョブ管理部１１５（出力ジョブ管理手段）は、コンテンツデータを出力する出力装置と、コンテンツデータを出力するタイミングとを対応付けて、出力ジョブとして出力ジョブ管理ＤＢ１７３に登録し、各出力ジョブを管理する。ここで、出力ジョブ管理ＤＢ１７３のデータ構成例について説明する。
【００３６】
図４は、出力ジョブ管理ＤＢ１７３のデータ構成例を示す図である。出力ジョブ管理ＤＢ１７３には、出力ジョブ管理部１１５による登録順に従って出力ジョブが登録される。図４に示すように、各出力ジョブについて、機器情報として、出力装置を示す出力装置名、出力装置の型番が登録される。また、設定情報として、出力装置のＩＰアドレス、出力装置の店舗内での位置を示す位置情報が登録される。また、ユーザ情報として、入力端末４のユーザのユーザＩＤ、入力端末４のデバイスＩＤが登録される。また、コンテンツ情報として、コンテンツデータを特定できる情報が登録され、例えば、コンテンツデータを入力端末４から受信した受信日時、入力端末４から指示された出力日時、ＰＯＰ広告の概略を示したコンテンツ名が登録される。
【００３７】
また、出力ジョブ管理ＤＢ１７３の各出力ジョブには、出力装置がコンテンツデータを既に出力したか否かを示す出力完了フラグが格納されている。出力ジョブ管理部１１５は、出力装置においてコンテンツデータの出力が行われると、出力装置から出力完了の通知を受信して、出力完了フラグをオンとする。
【００３８】
尚、出力ジョブ管理部１１５は、各コンテンツデータに対してそれぞれコンテンツＩＤを付して、コンテンツデータを管理してもよい。ＩＤを付さない場合には、受信日時、ユーザＩＤ、コンテンツ名等のその他の複数の情報によって各コンテンツデータを特定する。出力ジョブ管理ＤＢ１７３には、コンテンツデータそのものを格納してもよい。出力ジョブ管理ＤＢ１７３にはコンテンツデータそのものは格納せずに、上記情報を用いてコンテンツデータを特定した上でコンテンツデータを格納場所から読み込んでもよい。
【００３９】
出力ジョブ管理部１１５は、出力ジョブ管理ＤＢ１７３に基づいて、各出力装置に出力日時に応じてコンテンツデータをジョブ出力させる。出力タイミングの取り方は、コンテンツ管理サーバ１側が発するジョブ指示でコンテンツ出力のタイミングを合わせてもよいし、コンテンツ管理サーバ１が出力装置にコンテンツ出力するタイミングを予め設定登録し、出力装置側で出力タイミングをコントロールしてもよい。尚、ジョブ出力されるコンテンツデータは、上述したようにコンテンツデータ加工部１１３によって出力先の出力設定や出力機能に応じたデータに加工された加工後のコンテンツデータである。
【００４０】
次に、入力端末４について説明する。
【００４１】
図５は、入力端末４のハードウェア構成および機能構成を示したブロック図である。入力端末４は、ＣＰＵ、ＲＯＭ、ＲＡＭ等で構成されるコンピュータ構成の制御部４１を備えている。制御部４１には、バス４２を介して、通信Ｉ／Ｆ４３、通信Ｉ／Ｆ４４、ディスプレイ４５、タッチパネル４６、メモリ４７等が接続されている。
【００４２】
通信Ｉ／Ｆ４３は無線ＬＡＮ接続用のインタフェースであり、通信Ｉ／Ｆ４４は通話機能および高速データ通信機能を備えた移動通信方式のインタフェースである。制御部４１は、通信Ｉ／Ｆ４３または通信Ｉ／Ｆ４４を介して公衆回線８０（図１参照）に接続し、コンテンツ管理サーバ１との間でデータ通信を行う。尚、入力端末４は、通信Ｉ／Ｆ４３および通信Ｉ／Ｆ４４の双方を備えずともよく、いずれかの通信Ｉ／Ｆを介して公衆回線８０に接続可能であればよい。
【００４３】
メモリ４７には、制御部４１が実行するプログラムとして、ＰＯＰ作成アプリ４７１がインストールされる。尚、ＰＯＰ作成アプリ４７１は、インターネット等のネットワークに接続されたアプリサーバ（コンピュータ）上に格納しておく。ユーザはインターネット経由で当該アプリをダウンロードして入力端末４にインストールする。制御部４１のＣＰＵ（プロセッサ）は、メモリ４７からＰＯＰ作成アプリ４７１を読み出して、当該プログラムが含むモジュールを主記憶装置上にロードする。これにより制御部４１は、通信制御部４１１、表示制御部４１２、入力受付部４１３を主記憶装置上に展開する。
【００４４】
通信制御部４１１は、通信Ｉ／Ｆ４３または通信Ｉ／Ｆ４４を介して公衆回線８０に接続し、公衆回線８０を介してコンテンツ管理サーバ１との間で行われるデータ通信を制御する。例えば通信制御部４１１は、ＰＯＰ作成アプリ４７１が起動されると、各種画面表示に必要な表示データやパラメータ等の送信要求をコンテンツ管理サーバ１に送信し、コンテンツ管理サーバ１から送信された表示データ等を受信する。
【００４５】
表示制御部４１２は、メモリ４７に格納されている表示データや各種パラメータ、コンテンツ管理サーバ１から受信した表示データ等に基づいて、ディスプレイ４５にＰＯＰ作成アプリ４７１の各種画面を表示する動作を制御する。
【００４６】
入力受付部４１３は、ディスプレイ４５に表示されたＧＵＩ（Graphical  User  Interface）に対するユーザの入力操作を、タッチパネル４６を介して受付ける。尚、入力端末４がマイクロフォンを備えている場合には、当該マイクロフォンを介してＧＵＩへの音声入力を受付けてもよい。
【００４７】
尚、入力受付部４１３は、ＰＯＰ作成アプリ４７１の各種ＧＵＩを介して、商品マスタＤＢ２１から広告コンテンツの対象とする商品を選択する商品選択手段として機能する。また、入力受付部４１３は、上記ＧＵＩを介して、テンプレートＤＢ３１から広告コンテンツ用のテンプレートを選択するテンプレート選択手段として機能する。また、入力受付部４１３は、上記ＧＵＩを介して、広告コンテンツの出力方法に関する設定を受付ける出力設定受付手段として機能する。
【００４８】
また、表示制御部４１２は、入力受付部４１３が選択した商品の商品情報を商品マスタＤＢ２１から読み込んで、入力受付部４１３が選択したテンプレート上に合成して、広告コンテンツをプレビュー表示するプレビュー表示手段として機能する。また、表示制御部４１２は、設定に見合う出力装置を、当該出力装置の位置に応じて店舗マップ上に選択可能に表示する出力装置表示手段として機能する。通信制御部４１１は、上述の店舗マップから出力装置の選択を受付けると、選択された出力装置に広告コンテンツをジョブ出力する指示を出力する指示出力手段として機能する。
【００４９】
次に、図６〜図１１を用いて、入力端末４がコンテンツ管理サーバ１とのデータ通信によりディスプレイ４５に表示する、ＰＯＰ作成アプリ４７１のＧＵＩの画面構成例および画面遷移例について説明する。
【００５０】
図６は、入力端末４がＰＯＰ作成アプリ４７１の起動後に表示する選択画面４５１の構成例を示す図である。選択画面４５１は、ＰＯＰ広告の対象とする商品を選択するための商品選択欄を備えている。通信制御部４１１は、コンテンツ管理サーバ１に選択画面４５１の表示要求を送信し、コンテンツ管理サーバ１は、商品マスタＤＢ２１から読み込んだ情報に基づき、各選択欄に選択肢として表示する情報を送信応答する。表示制御部４１２は、受信した情報を用いて、部門選択欄４５１１に商品が属する部門を示した選択肢を表示する。部門選択欄４５１１でのスクロールやプルダウンを介して部門が選択されると、通信制御部４１１は当該部門に属する商品情報の送信要求をコンテンツ管理サーバ１に送信し、コンテンツ管理サーバ１からの応答を受信する。
【００５１】
表示制御部４１２は、受信した情報を用いて、商品選択欄４５１２に部門選択欄４５１１で選択された部門に属する商品を選択可能に表示する。また、表示制御部４１２は、商品選択欄４５１２に表示した商品に連動して、当該商品の価格を価格表示欄４５１３に表示する。また、選択画面４５１は、テンプレート選択欄４５１４を有している。表示制御部４１２は、コンテンツ管理サーバ１がテンプレートＤＢ３１から読み込んだテンプレートを示す情報を、テンプレート選択欄４５１４に選択可能に表示する。選択画面４５１は、ＰＯＰ広告の出力方法の設定に移行するための出力設定ボタン４５１５を備えている。入力受付部４１３が出力設定ボタン４５１５の操作を受付けると、表示制御部４１２は出力設定画面４５２（図７参照）をディスプレイ４５に表示する。
【００５２】
尚、以降の表示処理においても、コンテンツ管理サーバ１との相互通信については上述と同様に行われる。
【００５３】
図７は、出力設定画面４５２の構成例を示す図である。出力設定画面４５２には、作成したＰＯＰを何に出力するのか、出力の種類を選択する種類選択欄４５２１が設けられている。種類選択欄４５２１の選択肢としては、ＰＯＰ（印刷出力）、デジタルサイネージ、Ｗｅｂ配信等の項目が設けられている。また、出力設定画面４５２には、コンテンツを出力するタイミングを設定する出力日時欄４５２２が設けられている。出力タイミングの選択肢としては、即時出力とする例、出力日時を指定する例、出力時間を指定して複数日に亘って繰り返し出力する例、などが設けられる。
【００５４】
図７では種類選択欄４５２１において「ＰＯＰ」即ち印刷出力が選択された場合の例を示したが、このように印刷出力が選択された場合には、出力設定画面４５２において印刷用紙や部数等の設定を更に受付可能とする。即ち、用紙種類を選択する用紙種類選択欄４５２３、用紙サイズを選択する用紙サイズ選択欄４５２４、印刷部数を選択する部数設定欄４５２５、解像度を設定する解像度設定欄４５２６等である。
【００５５】
尚、種類選択欄４５２１においてデジタルサイネージ出力が選択された場合には、出力設定画面４５２において、サイネージ出力方法に関する各種設定を受付ける。例えば、デジタルサイネージ６における表示時間、表示サイクル（表示頻度）、表示順位、解像度などの設定について受付ける。
【００５６】
出力設定画面４５２は、出力設定画面４５２で入力された出力設定に見合う出力機器を選択するための機器選択ボタン４５２７を有している。機器選択ボタン４５２７が選択操作されると、表示制御部４１２は、ディスプレイ４５に機器選択画面４５３（図８参照）を表示する。
【００５７】
図８は、機器選択画面４５３の構成例を示す図である。コンテンツ管理サーバ１（出力設定管理部１１４）は、入力端末４から送信された出力設定に見合う出力装置を、出力設定管理ＤＢ１７２から抽出し、抽出した出力装置を示す情報と、当該出力装置を店舗マップ上に選択可能に表示した表示データと、を入力端末４に送信する。入力端末４の表示制御部４１２は、受信した情報に基づき、機器選択画面４５３に出力可能なデバイス（出力装置）を示した機器リスト４５３１と、店舗マップ４５３２とを表示する。店舗マップ４５３２には、入力端末４の現在位置を示すマーク４５３３と、機器リスト４５３１にリストアップされた出力装置の位置を示すマーク４５３４ａ、４５３４ｂ、４５３４ｃとが表示される。入力端末４の現在位置については、例えば入力端末４のＧＰＳ（Global  Positioning  System）機能や、無線通信のアクセスポイントに基づいて取得すればよい。
【００５８】
マークの形状や色などの外観は特に限定されないが、出力装置の種類に応じて外観を変えると分かりやすい。例えば、プリンタ７（カラー複合機１、カラー複合機３）を示すマーク４５３４ａ、４５３４ｂは赤色の丸で表示し、デジタルサイネージ６（デジタルサイネージ１）を示すマーク４５３４ｃは緑色の丸で表示する等とすればよい。マーク４５３４ａ、４５３４ｂ、４５３４ｃから１つのマークが選択された上で、プレビュー表示ボタン４５３５が選択されると、表示制御部４１２は、プレビュー画面４５５（図１１参照）をディスプレイ４５に表示する。
【００５９】
ここで、機器選択画面４５３のその他の構成例について図９を用いて説明する。
【００６０】
図９は、機器選択画面４５３のその他の構成例を示す図である。タブレット端末４ｂのようにディスプレイ４５のサイズが大きめであれば、出力装置を示すマーク４５３４ａ、４５３４ｂ、４５３４ｃにそれぞれの出力装置に関する装置情報４５３６ａ、４５３６ｂ、４５３６ｃを付して表示してもよい。図９では、マーク４５３４ａ、４５３４ｂ、４５３４ｃについて、各出力装置の名称と、各出力装置が現時点にて登録されているジョブを吹き出し表示した例を示している。
【００６１】
一例として、マーク４５３４ａには、プリンタ７の名称である「カラー複合機１」と、当該カラー複合機１が現時点で持っているジョブ「１．ＰＯＰ＿青果＿いちご」および「２．ＰＯＰ＿精肉＿牛ロース」とを含む装置情報４５３６ａが吹き出し表示されている。このように出力装置が現時点で持っているジョブを機器選択画面４５３に表示することで、ジョブが集中して出力処理の効率が低下しないよう注意しながら、出力装置を選択して出力ジョブを分配することができる。
【００６２】
本実施形態では、店舗マップ４５３２上で出力先の機器を選択することができるので、生成した広告コンテンツを出力する際の利便性を向上できる。即ち、プリンタ７への出力であれば、ユーザの現在位置から近いプリンタや、あるいは、ジョブが少ない方のプリンタを選択して、ＰＯＰ出力作業の効率向上を図ることができる。また、デジタルサイネージ６への出力であれば、出力する広告内容と、広告対象とする商品の売り場の位置とを確認しながら、出力先のデジタルサイネージ６を選択することができる。
【００６３】
更に機器選択画面４５３の別の例として、拡張現実（ＡＲ：Augmented  Reality）表示を利用した例を示す。
【００６４】
図１０は、ＡＲ表示を利用した機器選択画面４５４の構成例を示す図である。表示制御部４１２は、機器選択画面４５４において、予め準備された店舗内のＡＲ画像上に、出力装置を示すマーク４５３４ａを表示し、当該マーク４５３４ａの近傍にその出力装置の装置情報４５３６ａを吹き出し表示する。また、機器選択画面４５４においてマーク４５３４ａおよび装置情報４５３６ａの表示と干渉しない位置には、上述と同様の店舗マップ４５３２が表示される。店舗マップ４５３２には、入力端末４の現在位置を示すマーク４５３３と、入力端末４の向き、即ち、入力端末４を持つユーザの向きを示す矢印マーク４５４１とが表示される。
【００６５】
入力端末４の向きについては、ＧＰＳ機能やアクセスポイント等から得た入力端末４の位置情報と、入力端末４が備えるモーションセンサあるいはカメラ等から取得した情報とに基づいて取得されればよい。機器選択画面４５４には、図８、図９の機器選択画面４５３と同様に、プレビュー表示ボタン４５３５が設けられている。プレビュー表示ボタン４５３５が選択されると、表示制御部４１２は、ディスプレイ４５にプレビュー画面４５５（図１１参照）を表示する。
【００６６】
図１１は、プレビュー画面４５５の構成例を示す図である。コンテンツ管理サーバ１のコンテンツデータ管理部１１２は、選択画面４５１で選択された商品情報を、選択画面４５１で選択されたテンプレートに適用して、ＰＯＰ広告のコンテンツデータを生成する。また、コンテンツ管理サーバ１のコンテンツデータ加工部１１３は、機器選択画面４５３、４５４で選択された出力装置の機能情報、設定情報を出力設定管理ＤＢ１７２から読み込み、上述のように生成したコンテンツデータを、機能情報が示す機能または設定情報が示す設定に応じて加工する。
【００６７】
そして、コンテンツ管理サーバ１の通信制御部１１１は、加工後のコンテンツデータをプレビュー表示するためのプレビュー表示データを、入力端末４に送信する。入力端末４の表示制御部４１２は、受信したプレビュー表示データに基づいて、ディスプレイ４５にＰＯＰ広告のプレビュー画面４５５（図１１参照）を表示する。
【００６８】
図１１に例示したプレビュー画面４５５には、出力設定画面４５２にて選択または入力された商品情報として、商品に関するコメント４５５１、商品名４５５２、商品画像４５５３、価格４５５４等が含まれている。尚、広告コンテンツが動画として生成された際には、表示制御部４１２はプレビュー画面４５５において当該動画を再生する。プレビュー画面４５５には、出力設定画面４５２に戻って設定を変更するための出力設定ボタン４５５５と、プレビュー表示されたコンテンツを出力先として設定された出力装置に出力するための出力ボタン４５５６とが設けられている。
【００６９】
出力ボタン４５５６が選択操作されると、入力受付部４１３はジョブ出力の指示操作を受付けて、通信制御部４１１はジョブ出力の指示情報をコンテンツ管理サーバ１に送信する。指示情報には、出力指示されたコンテンツ名、ユーザ情報、入力端末４の識別情報など、コンテンツデータを一意に特定できる情報が含まれる。また、指示情報は、選択画面４５１、出力設定画面４５２、機器選択画面４５３、４５４から選択、入力された情報を含む。尚、コンテンツを特定するコンテンツＩＤ等を付番するようにして、指示情報にコンテンツＩＤを含めるとしてもよい。
【００７０】
コンテンツ管理サーバ１の出力ジョブ管理部１１５は、ジョブ出力の指示情報を受信すると、コンテンツデータの出力先として設定された出力装置を示す情報と、コンテンツデータを示す情報と、コンテンツデータを出力するタイミングとを対応付けて、出力ジョブとして出力ジョブ管理ＤＢ１７３に登録する。また、出力ジョブ管理部１１５は、出力ジョブ管理ＤＢ１７３に基づいて、各コンテンツデータをその出力タイミングに応じて出力装置に出力させる。
【００７１】
次に、出力装置の装置構成例について説明する。
【００７２】
図１２は、デジタルサイネージ６のハードウェア構成および機能構成を示したブロック図である。デジタルサイネージ６は、ＣＰＵ、ＲＯＭ、ＲＡＭ等で構成されるコンピュータ構成の制御部６１を備えている。制御部６１には、バス６２を介して、通信Ｉ／Ｆ６３、表示部６４、操作部６５、メモリ６６等が接続されている。通信Ｉ／Ｆ６３は通信回線７０に接続するためのインタフェースであり、制御部６１は、通信Ｉ／Ｆ６３および通信回線７０を介してコンテンツ管理サーバ１との間でデータ通信を行う。表示部６４は液晶ディスプレイ等の表示装置であり、操作部６５は各種操作ボタン等で構成される。
【００７３】
制御部６１は、ＲＯＭが格納するプログラムをＲＡＭに展開して実行することで、通信制御部６１１と表示制御部６１２として機能する。通信制御部６１１は、コンテンツ管理サーバ１から受信したコンテンツデータをメモリ６６のコンテンツデータ格納部６６１に格納する。表示制御部６１２は、コンテンツデータ格納部６６１に格納されたコンテンツデータを、ジョブ内容に応じて表示部６４に表示させる。即ち、即時出力としてジョブ入力されているコンテンツデータについては即時、表示部６４に表示し、出力日時が設定されているコンテンツデータについては当該出力日時に従って表示部６４に表示する。
【００７４】
また、コンテンツデータ格納部６６１に格納されたコンテンツデータに優先順位が付けられていれば、表示制御部６１２は当該優先順位の高いコンテンツデータから表示部６４に表示させる。尚、優先順位の高い順に表示時間を長くしたり、優先順位の高い順に表示回数を多くしたりしてもよい。
【００７５】
図１３は、プリンタ７のハードウェア構成および機能構成を示したブロック図である。プリンタ７は、ＣＰＵ、ＲＯＭ、ＲＡＭ等で構成されるコンピュータ構成の制御部７１を備えている。制御部７１には、バス７２を介して、通信Ｉ／Ｆ７３、表示部７４、操作部７５、印字部７６、メモリ７７等が接続されている。通信Ｉ／Ｆ７３は通信回線７０に接続するためのインタフェースであり、制御部７１は、通信Ｉ／Ｆ７３および通信回線７０を介してコンテンツ管理サーバ１との間でデータ通信を行う。表示部７４は操作パネルに設けられた液晶ディスプレイ等の表示装置であり、操作部７５は操作パネルに設けられた操作ボタンで構成されている。印字部７６はプリンタヘッド、用紙搬送機構等で構成されている。尚、印字部７６における印刷方式は特に限定されず、プリンタ７はインクジェットプリンタ、レーザープリンタ、サーマルプリンタ他、いずれの方式のプリンタであってもよい。
【００７６】
制御部７１は、ＲＯＭが格納するプログラムをＲＡＭに展開して実行することで、通信制御部７１１と印刷制御部７１２として機能する。通信制御部７１１は、コンテンツ管理サーバ１から受信したコンテンツデータをメモリ７７の印字データ格納部７７１に格納する。印刷制御部７１２は、印字データ格納部７７１に格納されたコンテンツデータを、ジョブ内容に応じて印字部７６に出力させる。即ち、即時出力としてジョブ入力されているコンテンツデータについては即時、印字部７６に印刷させて、出力日時が設定されているコンテンツデータについては当該出力日時に従って印字部７６に印刷させる。
【００７７】
図１４は、出力装置として用いられるモバイル端末８のハードウェア構成および機能構成を示したブロック図である。モバイル端末８は、ＣＰＵ、ＲＯＭ、ＲＡＭ等で構成されるコンピュータ構成の制御部８１を備えている。制御部８１には、バス８２を介して、通信Ｉ／Ｆ８３、通信Ｉ／Ｆ８４、表示部８５、操作部８６、メモリ８７等が接続されている。操作部８６は、表示部８５の画面上に設けられたタッチパネルや各種ボタンで構成されている。
【００７８】
通信Ｉ／Ｆ８３は無線ＬＡＮ接続用のインタフェースであり、通信Ｉ／Ｆ８４は通話機能および高速データ通信機能を備えた移動通信方式のインタフェースである。制御部８１は、通信Ｉ／Ｆ８３または通信Ｉ／Ｆ８４を介して公衆回線８０（図１参照）に接続し、コンテンツ管理サーバ１との間でデータ通信を行う。尚、モバイル端末８は、通信Ｉ／Ｆ８３および通信Ｉ／Ｆ８４の双方を備えずともよく、いずれかの通信Ｉ／Ｆを介して公衆回線８０に接続可能であればよい。
【００７９】
メモリ８７には、制御部８１が実行するプログラムとして、表示プログラム８７１がインストールされる。表示プログラム８７１はインターネットブラウザのアプリケーションでもよいし、店舗アプリ等のアプリケーションでもよいし、その他のアプリケーションでもよい。制御部８１のＣＰＵ（プロセッサ）は、メモリ８７から表示プログラム８７１を読み出して、ＲＡＭに展開することで、通信制御部８１１、入力受付部８１２、表示制御部８１３として機能する。通信制御部８１１は、コンテンツ管理サーバ１からコンテンツデータを受信する。入力受付部８１２は操作部８６等に対する入力操作を介して、表示部８５に表示されたＧＵＩ画面等に対する入力を受付ける。表示制御部８１３は、入力受付部８１２が受付けた操作に応じてコンテンツ管理サーバ１からコンテンツデータがダウンロードされると、当該コンテンツデータを表示部８５に表示出力する。
【００８０】
図１５は、スピーカ９のハードウェア構成および機能構成を示したブロック図である。スピーカ９は、ＣＰＵ、ＲＯＭ、ＲＡＭ等で構成されるコンピュータ構成の制御部９１を備えている。制御部９１には、バス９２を介して、通信Ｉ／Ｆ９３、スピーカ９５、操作部９６、メモリ９７等が接続されている。通信Ｉ／Ｆ９３は通信回線７０に接続するためのインタフェースであり、制御部９１は、通信Ｉ／Ｆ９３および通信回線７０を介してコンテンツ管理サーバ１との間でデータ通信を行う。操作部９６は電源操作や音量調節等の操作ボタン等で構成されている。
【００８１】
制御部９１は、ＲＯＭが格納するプログラムをＲＡＭに展開して実行することで、通信制御部９１１と再生制御部９１２として機能する。通信制御部９１１は、コンテンツ管理サーバ１から受信したコンテンツデータをメモリ９７の音声データ格納部９７１に格納する。再生制御部９１２は、音声データ格納部９７１に格納されたコンテンツデータを、ジョブ内容に応じてスピーカ９５に出力させる。即ち、即時出力としてジョブ入力されているコンテンツデータについては即時、スピーカ９５に再生させて、出力日時が設定されているコンテンツデータについては当該出力日時に従ってスピーカ９５に再生させる。
【００８２】
尚、スピーカ９は人感センサを備え、再生制御部９１２は人感センサが人を検知するとコンテンツデータを再生するとしてもよい。
【００８３】
次に、入力端末４およびコンテンツ管理サーバ１の動作例について図１６ないし図１８を用いて説明する。
【００８４】
図１６は、入力端末４が実行するコンテンツ作成処理の手順例を示したフローチャートである。尚、入力端末４は図１６に示す各ステップを、コンテンツ管理サーバ１とのデータ通信を介して進める。
【００８５】
入力端末４においてＰＯＰ作成アプリ４７１が起動されると（ステップＳ１）、表示制御部４１２は選択画面４５１（図６参照）をディスプレイ４５に表示する（ステップＳ２）。入力受付部４１３は、選択画面４５１における各種選択操作、入力操作を受付ける。即ち、入力受付部４１３は、部門選択欄４５１１から部門の選択を受付ける（ステップＳ３）。また、入力受付部４１３は、商品選択欄４５１２から商品の選択を受付ける（ステップＳ４）。また、入力受付部４１３は、テンプレート選択欄４５１４からテンプレートの選択を受付ける（ステップＳ５）。
【００８６】
選択画面４５１において入力受付部４１３が出力設定ボタン４５１５（図６参照）の操作を受付けなければ（ステップＳ６：Ｎｏ）、ステップＳ３以降の手順を繰り返す。出力設定ボタン４５１５の操作を受付けると（ステップＳ６：Ｙｅｓ）、表示制御部４１２は、出力設定画面４５２（図７参照）を表示する（ステップＳ７）。入力受付部４１３は、出力設定画面４５２から各種設定の入力を受付ける（ステップＳ８）。
【００８７】
出力設定画面４５２において入力受付部４１３が機器選択ボタン４５２７の操作を受付けなければ（ステップＳ９：Ｎｏ）、ステップＳ８に戻る。機器選択ボタン４５２７の操作を受付けると（ステップＳ９：Ｙｅｓ）、表示制御部４１２は、機器選択画面４５３（図８参照）をディスプレイ４５に表示する（ステップＳ１０）。機器選択画面４５３において出力装置が選択された状態でプレビュー表示ボタン４５３５が操作されると（ステップＳ１１：Ｙｅｓ）、表示制御部４１２は、広告コンテンツのプレビュー画面（図１１参照）をディスプレイ４５に表示する（ステップＳ１２）。ステップＳ１１：ＮｏならばステップＳ１１に戻る。
【００８８】
プレビュー画面４５５において入力受付部４１３が出力ボタン４５５６の操作を受付けると（ステップＳ１３：Ｙｅｓ）、通信制御部４１１は、出力対象のコンテンツデータを示す情報と、出力先の出力装置を示す情報とを含む指示情報を、コンテンツ出力ジョブとして、コンテンツ管理サーバ１にジョブ送信する（ステップＳ１４）。プレビュー画面４５５において出力ボタン４５５６が操作されなければ（ステップＳ１３：Ｎｏ）、プレビュー画面４５５において出力設定ボタン４５５５が操作されたか判定する（ステップＳ１５）。出力設定ボタン４５５５が操作された場合（ステップＳ１５：Ｙｅｓ）には、ステップＳ７に戻って、出力設定画面４５２（図７参照）に対する操作を受付ける。ステップＳ１５：Ｎｏであれば、ステップＳ１３に戻って操作を待つ。
【００８９】
次に、コンテンツ管理サーバ１の動作例について説明する。
【００９０】
図１７は、コンテンツ管理サーバ１が実行するコンテンツ生成処理の手順例を示したフローチャートである。
【００９１】
まず、コンテンツ管理サーバ１の制御部１１は、ＰＯＰ作成アプリ４７１が起動されログイン情報が送信された入力端末４に、選択画面４５１（図６参照）の表示データを送信する。即ち、コンテンツ管理サーバ１は、商品マスタＤＢ２１、テンプレートＤＢ３１に基づいて、各種情報を選択可能な選択画面４５１の表示データを生成し、入力端末４からの要求に応じて表示データを送信応答する。
【００９２】
そして、入力端末４の選択画面４５１（図６参照）の各選択項目について、入力端末４から情報送信の要求があると（ステップＳ３１：Ｙｅｓ）、コンテンツ管理サーバ１の制御部１１は、各々の要求に応じた情報を商品マスタＤＢ２１、または、テンプレートＤＢ３１から抽出して、要求元の入力端末４に送信応答する（ステップＳ３２）。情報送信の要求が無ければ（ステップＳ３１：Ｎｏ）、入力端末４においてＰＯＰ作成アプリ４７１が終了し、入力端末４のユーザがログオフしたことが通知されたか判定する（ステップＳ５１）。ステップＳ５１：Ｙｅｓであれば、入力端末４との間の処理を終了する。ステップＳ５１：Ｎｏであれば、ステップＳ３１に戻る。
【００９３】
次に、入力端末４の選択画面４５１（図６参照）の出力設定ボタン４５１５が操作されて、入力端末４から出力設定要求が送信されると（ステップＳ３３：Ｙｅｓ）、ステップＳ３４に移行する。コンテンツ管理サーバ１の制御部１１は、出力設定管理ＤＢ１７２から抽出した情報に基づいて、出力設定画面４５２（図７参照）の表示データを生成し、要求元の入力端末４に送信応答する（ステップＳ３４）。ステップＳ３３：Ｎｏであれば、入力端末４においてＰＯＰ作成アプリ４７１が終了し、入力端末４のユーザがログオフしたことが通知されたか判定する（ステップＳ５２）。ステップＳ５２：Ｙｅｓであれば、入力端末４との間の処理を終了する。ステップＳ５２：Ｎｏであれば、ステップＳ３３に戻る。
【００９４】
次に、入力端末４の出力設定画面４５２（図７参照）の機器選択ボタン４５２７が操作されて、入力端末４から機器選択要求が送信されると（ステップＳ３５：Ｙｅｓ）、ステップＳ３６に移行する。コンテンツ管理サーバ１の制御部１１は、出力設定管理ＤＢ１７２から出力設定に見合う出力装置（機器）を抽出する（ステップＳ３６）。そして、コンテンツ管理サーバ１の制御部１１は、店舗マップ上に出力装置を配置した機器選択画面４５３（図８参照）の表示データを生成して、要求元の入力端末４に送信応答する（ステップＳ３７）。ステップＳ３５：Ｎｏであれば、入力端末４においてＰＯＰ作成アプリ４７１が終了し、入力端末４のユーザがログオフしたことが通知されたか判定する（ステップＳ５３）。ステップＳ５３：Ｙｅｓであれば、入力端末４との間の処理を終了する。ステップＳ５３：Ｎｏであれば、ステップＳ３５に戻る。
【００９５】
次に、入力端末４の機器選択画面４５３（図８等参照）においてプレビュー表示ボタン４５３５が操作されて、入力端末４からプレビュー表示要求が送信されると（ステップＳ３８：Ｙｅｓ）、ステップＳ３９に移行する。コンテンツ管理サーバ１の制御部１１は、選択画面４５１から受付けた商品情報、出力設定画面４５２から受付けた設定情報に基づいてコンテンツデータを生成する。また、コンテンツ管理サーバ１の制御部１１は、生成したコンテンツデータを、機器選択画面４５３で設定された出力装置に関して出力設定管理ＤＢ１７２から読み込んだ設定情報に基づいて加工する。また、コンテンツ管理サーバ１の制御部１１は、加工後のコンテンツデータに基づいて、プレビュー画面４５５（図１１参照）の表示データを生成する（ステップＳ３９）。そして、コンテンツ管理サーバ１の制御部１１は、加工後のデータを要求元の入力端末４に送信応答する（ステップＳ４０）。
【００９６】
ステップＳ３８：Ｎｏであれば、入力端末４においてＰＯＰ作成アプリ４７１が終了し、入力端末４のユーザがログオフしたことが通知されたか判定する（ステップＳ５４）。ステップＳ５４：Ｙｅｓであれば、入力端末４との間の処理を終了する。ステップＳ５４：Ｎｏであれば、ステップＳ３８に戻る。
【００９７】
入力端末４のプレビュー画面４５５（図１１参照）において出力ボタン４５５６が操作されて、入力端末４から出力要求が送信されると（ステップＳ４１：Ｙｅｓ）、ステップＳ４２に移行する。コンテンツ管理サーバ１の制御部１１は、出力要求を受けたコンテンツの出力ジョブを、出力ジョブ管理ＤＢ１７３に登録する（ステップＳ４２）。また、コンテンツ管理サーバ１の制御部１１は、出力ジョブ管理ＤＢ１７３に登録した出力ジョブを、出力ジョブ管理ＤＢ１７３に登録された出力タイミングに応じて出力装置にジョブ送信する（ステップＳ４３）。なお、コンテンツ管理サーバ１は出力タイミングを示す情報とともに出力ジョブを即時送信し、出力タイミングの制御は出力装置側で行うとしてもよい。
【００９８】
ステップＳ４１：Ｎｏであれば、プレビュー画面４５５において出力設定ボタン４５５５（図１１参照）が操作されて、入力端末４から出力設定要求を受信したか判定する（ステップＳ５５）。ステップＳ５５：Ｙｅｓであれば、ステップＳ３４に移行する。ステップＳ５５：Ｎｏであれば、入力端末４においてＰＯＰ作成アプリ４７１が終了し、入力端末４のユーザがログオフしたことが通知されたか判定する（ステップＳ５６）。ステップＳ５６：Ｙｅｓであれば、入力端末４との間の処理を終了する。ステップＳ５６：Ｎｏであれば、ステップＳ４１に戻る。
【００９９】
図１８は、コンテンツ管理サーバ１が実行するコンテンツ管理処理の手順例を示したフローチャートである。コンテンツ管理サーバ１の制御部１１は、出力端末からジョブが完了したことを示す情報を受信すると（ステップＳ７１：Ｙｅｓ）、出力ジョブ管理ＤＢ１７３（図４参照）において当該ジョブの出力完了／未完了を管理するフラグをオンとし、出力ジョブ管理ＤＢ１７３を更新する（ステップＳ７２）。その後、コンテンツ管理サーバ１の制御部１１は、入力端末４においてＰＯＰ作成アプリ４７１が終了し、入力端末４のユーザがログオフしたことが通知されたか判定する（ステップＳ７３）。ステップＳ７３：Ｙｅｓであれば、入力端末４との間の処理を終了する。ステップＳ７１：Ｎｏであれば、ステップＳ７３に移行する。また、ステップＳ７３：Ｎｏであれば、ステップＳ７１に戻って、各出力装置からのジョブ完了の通知を待つ。
【０１００】
以上説明したように、上記実施形態によれば、広告コンテンツの出力先を設定する処理の利便性を向上することができるコンテンツ管理装置およびプログラムを提供することができる。
【０１０１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０２】
例えば、上述では広告コンテンツを適用対象として実施形態を説明したが、コンテンツデータの適用例はこれに限定されず他のデータに上記実施形態を適用してもよい。例えば、社内の連絡や通知を含めた連絡用コンテンツを上記実施形態に適用してよい。
【符号の説明】
【０１０３】
１  コンテンツ管理サーバ
２  ＰＯＳサーバ
３  ＰＯＰサーバ
４  入力端末
４ａ  モバイル端末
４ｂ  タブレット端末
４５１  選択画面
４５２  出力設定画面
４５３、４５４  機器選択画面
４５５  プレビュー画面
６（６ａ、６ｂ）  デジタルサイネージ
７（７ａ、７ｂ）  プリンタ
８  モバイル端末
９  スピーカ
１００  コンテンツ管理システム
１７２  出力設定管理ＤＢ
１７３  出力ジョブ管理ＤＢ
【先行技術文献】
【特許文献】
【０１０４】
【特許文献１】特許第５４５７５００号公報
【図１】
2019159461.tif 000003
【図２】
2019159461.tif 000004
【図３】
2019159461.tif 000005
【図４】
2019159461.tif 000006
【図５】
2019159461.tif 000007
【図６】
2019159461.tif 000008
【図７】
2019159461.tif 000009
【図８】
2019159461.tif 000010
【図９】
2019159461.tif 000011
【図１０】
2019159461.tif 000012
【図１１】
2019159461.tif 000013
【図１２】
2019159461.tif 000014
【図１３】
2019159461.tif 000015
【図１４】
2019159461.tif 000016
【図１５】
2019159461.tif 000017
【図１６】
2019159461.tif 000018
【図１７】
2019159461.tif 000019
【図１８】
2019159461.tif 000020